(57)【特許請求の範囲】
【請求項１】
フイルム製品を密封して収納するケースと、該ケースを収納する直方体状の紙箱とから成るフイルム製品の包装体に於いて、
前記紙箱の蓋面に隣接した第１の壁面に形成されると共に、該第１の壁面と該蓋面とが交わって形成される第１の稜線に両端が位置するように形成され、破断されることにより形成される破断部分が半円形状に形成される第１の破断線と、
前記蓋面に形成されると共に、一端が前記第１の破断線の一端に連結され、他端が該蓋面と前記第１の壁面に隣接する第２の壁面とが交わって形成される第２の稜線に位置するように傾斜して形成された第２の破断線であって、切断溝部と切断溝部を接続する接続部とで階段状に形成されると共に、前記接続部が前記蓋面の開放方向に破断するように該開放方向に形成された第２の破断線と、
前記蓋面に形成されると共に、一端が前記第１の破断線の他端に連結され、他端が該蓋面と前記第２の壁面に対向する第３の壁面との第３の稜線に位置するように傾斜して形成された第３の破断線であって、切断溝部と切断溝部を接続する接続部とで階段状に形成されると共に、前記接続部が前記蓋面の開放方向に破断するように該開放方向に形成された第３の破断線と、
端部が前記第２の破断線の他端に連結されて前記第２の稜線に沿って形成されることにより前記蓋面の開放方向に形成された第４の破断線と、
端部が前記第３の破断線の他端に連結されて前記第３の稜線に沿って形成されることにより前記蓋面の開放方向に形成された第５の破断線と、が前記紙箱に形成され、
前記第１の破断線を破断して前記蓋面を引き離すことにより、前記第２、第３の破断線を破断した後、前記第４、第５の破断線を破断して蓋面を開放することを特徴とするフイルム製品の包装体。
【請求項２】
前記ケースは断面形状が略楕円の円筒状に形成され、前記第１の破断線を破断することにより前記紙箱の内側に折り返されて破断される前記半円形状の破断部分は、紙箱とケースとの隙間に侵入する形状に形成されていることを特徴とする請求項１記載のフイルム製品の包装体。
【発明の詳細な説明】
【０００１】
【発明の属する技術分野】
本発明はフイルム製品の包装体に係り、特に露光前の写真フイルムを収納したフイルムカートリッジ等のフイルム製品を防湿性を有するプラスチックケースで密封し、このプラスチックケースを紙箱に収納したフイルム製品の包装体に関する。
【０００２】
【従来の技術】
フイルムカートリッジはプラスチックケースに密封され、そして、商品名等がプリントされた紙箱（化粧箱）に前記プラスチックケースを収納した包装形態で店頭販売されている。
この種のフイルム製品の包装体として実表昭５７−６００００１号公報に開示されたものがある。このフイルム製品の包装体は図１１に示すように、直方体状に形成された紙箱１の一つの壁面（図中、正面）１Ａに、隣接する壁面（図中、上面）１Ｂとの角部２、２に延びる円弧状の破断線３が形成されると共に、この破断線３に連結されて隣接する壁面（図中、底面）１Ｃとの角部４、４に延びる傾斜した２本の破断線５、５が形成されている。即ち、前記包装体では、図１２に示すように前記破断線３を破断した後、破断線５、５を破断することにより前記紙箱１を開放してプラスチックケース６（図１３参照）を取り出すようにしている。
【０００３】
【発明が解決しようとする課題】
しかしながら、実表昭５７−６００００１号公報の包装体は、破断線３と破断線５、５とを異なる方向の破断動作で破断しなければ紙箱１を開放することができないので、プラスチックケース６の取り出しに手間がかかるという欠点がある。
【０００４】
また、前記包装体は、破断時に破断線３によって紙箱１の内側に折り返される破断部分７が図１３に示すように、破断途中でプラスチックケース６に当たるので破断線３が破断し難く、これによりプラスチックケース６を簡単に取り出すことができないという欠点がある。
本発明は、このような事情に鑑みて成されたもので、簡単な動作で紙箱を開放することができ、且つ開放最終過程でフイルム製品を無理なく取り出すことができるフイルム製品の包装体を提供することを目的とする。
【０００５】
【課題を解決する為の手段】
本発明は、前記目的を達成する為に、フイルム製品を密封して収納するケースと、該ケースを収納する直方体状の紙箱とから成るフイルム製品の包装体に於いて、前記紙箱の蓋面に隣接した第１の壁面に形成されると共に、該第１の壁面と該蓋面とが交わって形成される第１の稜線に両端が位置するように形成され、破断されることにより形成される破断部分が半円形状に形成される第１の破断線と、前記蓋面に形成されると共に、一端が前記第１の破断線の一端に連結され、他端が該蓋面と前記第１の壁面に隣接する第２の壁面とが交わって形成される第２の稜線に位置するように傾斜して形成された第２の破断線であって、切断溝部と切断溝部を接続する接続部とで階段状に形成されると共に、前記接続部が前記蓋面の開放方向に破断するように該開放方向に形成された第２の破断線と、前記蓋面に形成されると共に、一端が前記第１の破断線の他端に連結され、他端が該蓋面と前記第２の壁面に対向する第３の壁面との第３の稜線に位置するように傾斜して形成された第３の破断線であって、切断溝部と切断溝部を接続する接続部とで階段状に形成されると共に、前記接続部が前記蓋面の開放方向に破断するように該開放方向に形成された第３の破断線と、端部が前記第２の破断線の他端に連結されて前記第２の稜線に沿って形成されることにより前記蓋面の開放方向に形成された第４の破断線と、端部が前記第３の破断線の他端に連結されて前記第３の稜線に沿って形成されることにより前記蓋面の開放方向に形成された第５の破断線と、が前記紙箱に形成され、前記第１の破断線を破断して前記蓋面を引き離すことにより、前記第２、第３の破断線を破断した後、前記第４、第５の破断線を破断して蓋面を開放することを特徴としている。
【０００７】
本発明によれば、破断線を破断していくと、破断線が一方向に判断しながら紙箱の開き面が徐々に拡幅していくのでフイルム製品を紙箱から容易に取り出すことができ、また、前記破断線で最初に破断される部分を、紙箱と該紙箱に収納されるフイルム製品とで形成される空間部に対応する位置に形成しているので、最初の破断線を無理なく破断することができる。
【０００８】
本発明によれば、第１の壁面に形成された第１の破断線を破断して蓋面を持ち上げると、その動作により第２、第３の破断線が破断し、そして第４、第５の破断線が連続して破断することにより紙箱が開放する。これにより、本発明では、一つの動作で紙箱を開放することができる。
【００１０】
本発明は、フイルム製品が収納されるケースを断面が略楕円の円筒状に形成し、且つ、第１の破断線を破断することにより紙箱の内側に折り返されて最初に破断される部分を紙箱とケースとの隙間に侵入する形状に形成している。これにより、本発明では、第１の破断線を破断する際に最初に破断される部分がケースに当たらないので、第１の破断線を簡単に破断することができる。
【００１１】
本発明は、前記第２、第３の破断線を階段状に形成すると共に、蓋面の開放方向に切断部を形成している。これにより、第２、第３の破断線は、蓋面の開放方向に無理なく破断するので、紙箱を円滑に開放することができる。
【００１２】
【発明の実施の形態】
以下添付図面に従って本発明に係るフイルム製品の包装体の好ましい実施の形態について詳説する。
図１は、本発明の実施例に係るフイルム製品の包装体の外観を示す斜視図である。同図に示す包装体１０は、図２に示すフイルムカートリッジ１２を収納するもので、このフイルムカートリッジ１２は図３に示すプラスチックケース１４に収納されたのち、図１に示す紙箱１６に収納される。前記紙箱１６には第１の破断線１８、第２の破断線２０、第３の破断線２２、第４の破断線２４、及び第５の破断線２６が形成され、これらの破断線１８〜２６を破断することにより開放される。これにより、プラスチックケース１４が紙箱１６から取り出される。前記破断線１８〜２６については後述する。
【００１３】
図２に示すフイルムカートリッジ１２は、フイルムカートリッジ１２を構成する胴体部２８、スプール３０、及び遮光部材３２等の全ての部材がプラスチックで形成されており、また前記胴体部２８は断面が略楕円の円筒状に形成されている。前記フイルムカートリッジ１２は、ネガフイルムを先端まで胴体部２８内に巻き込んでおき、使用するときにスプール３０の回転によってネガフイルムを胴体部２８の外部に送り出すタイプのものである。胴体部２８の端面２８Ａには、フイルムカートリッジ１２の履歴を示す４種類の形の異なる開口部３４、３６、３８、４０が同心円状に９０°の間隔で形成されている。これらの開口部３４〜４０の内側には、開口部３４〜４０のうち一つの開口部を遮蔽するプレート（図示せず）がスプール３０を中心に回動自在に設けられている。このプレートが、例えば円形の開口部３４を遮蔽しているフイルムカートリッジ１２は、未露光のネガフイルムが装填されたフイルムカートリッジと識別され、半円形の開口部３６を遮蔽しているフイルムカートリッジ１２は途中使用のフイルムカートリッジと識別され、十字状の開口部３８を遮蔽しているフイルムカートリッジ１２は露光済みのフイルムカートリッジと識別され、矩形状の開口部４０を遮蔽しているフイルムカートリッジ１２は現像済みのフイルムカートリッジと外部から一目で識別されるようになっている。このようなフイルムカートリッジ１２の使用説明は、図４に示す紙箱１６の展開図において紙箱１６の内面に、フイルムの取扱い説明文及び露光方法説明文と共に印刷されている。
【００１４】
図２に示すようにフイルムカートリッジ１２の表面にはラベル４２が貼着される。このラベル４２には、フイルムカートリッジ１２に装填されているネガフイルムのＩＳＯレンジ、ネガ枚数、及び該フイルムカートリッジ１２のＩＤナンバー等が印刷されている。
図３において前記プラスチックケース１４は、ケース本体４４とキャップ４６とから構成されており、ケース本体４４は、フイルムカートリッジ１２の外形形状に合わせて断面が略楕円形に形成されている。前記キャップ４６は、矩形状に形成され、その表面に前記ケース本体４４の開口部（図示せず）と嵌合する溝（図示せず）が形成されている。これにより、ケース本体４４に挿入されたフイルムカートリッジ１２は、キャップ４６を閉めることにより密封状態でプラスチックケース１４に収納される。また、前記キャップ４６は矩形状に形成されているため、キャップ４６を閉じたときに４つの角部４７、４７…がケース本体４４から突出する。この角部４７、４７…をキャップ４６を開けるときの指掛かりとすると、キャップ４６を容易に開けることができる。また、前記角部４７、４７…は、キャップ４６の四隅に形成されているので、ケース本体４２をどの位置で把持しても角部４７、４７…のうちの一つを指掛かりとしてキャップ４６を開くことができる。
【００１５】
ところで前記紙箱１６は、図４に示す形状に型抜きされた厚紙を図中一点鎖線で示す複数本の谷折り線に沿って折り曲げることにより直方体状に組み立てられる（図１参照）。前記紙箱１６は図４に示すように正面部（第１の壁面）４８、底面部５０、背面部（第４の壁面）５２、及び上面部（蓋面）５４が形成され、底面部５０の両縁部には側面部（第２の壁面）５６、側面部（第３の壁面）５６が形成される。また、正面部４８の両縁部には耳部５８、５８が形成され、背面部５２の両縁部にも耳部６０、６０、及び上面部５４の両縁部にも耳部６２、６２が夫々形成されている。前記耳部５８、５８と耳部６２、６２とは、紙箱１６の組み立て時に前記側面部５６、５６の内側に貼着されるが、前記耳部６０、６０は貼着されず、前記側面部５６、５６、耳部５８、５８、及び耳部６２、６２から分離可能となっている。従って、各破断線１８〜２６を破断して上面部５４を開放すると（図８参照）、前記背面部５２も上面部５４の開放と共に開放される（図９参照）。また、前記耳部６０、６０の端部６０Ａ、６０Ａは、背面部５２の開放時に上面部５４の残片５４Ａ、５４Ａに当たらないように円弧状に形成されている。
【００１６】
次に、前記紙箱１６の各破断線１８〜２６について説明する。
破断線１８は図１に示すように、正面部４８に形成されると共に、その両端部が正面部４８と上面部５４との稜線６４に位置するように形成される。破断線１８は、正面部４８の稜線６４寄りに形成されており、また、該破断線１８によって破断されて紙箱１６の内側に折り返される破断部分６６は親指の指先の形と略等しい半円形状に形成される。更に、破断部分６６は図７に示すように、紙箱１６の内側に折り返された際に紙箱１６とプラスチックケース１４とのコーナ空間６８に侵入できる大きさに形成される。これにより、破断線１８は、プラスチックケース１４に邪魔されることなく内側に押し込むだけで円滑に破断される。
【００１７】
前記破断線２０は図１に示すように、上面部５４に形成されると共に、破断線２０の一端が前記破断線１８の一端（図中右側端部）に連結され、破断線２０の他端が該上面部５４と図中右側の側面部５６との稜線７０に位置するように傾斜して形成される。また、破断線２２は、破断線２０と対向位置に形成されており、即ち、一端が破断線１８の他端（図中左側端部）に連結され、他端がもう一方の側面部５６との稜線７２に位置するように傾斜して形成される。
【００１８】
更に破断線２０は図５に示すように階段状に形成されると共に、上面部５４の開放方向と平行な切断溝２０Ａ、２０Ａ間に接続部２１、２１が形成されている。これにより、上面部５４を開放方向に持ち上げると、その力によって前記接続部２１、２１が前記開放方向に破断するので、破断線２０は無理なく破断する。尚、前記破断線２２は、破断線２０と同様に形成されているので、その説明は省略する。
【００１９】
一方、前記破断線２４は図１に示すように、前記稜線７０に沿って形成されると共に、破断線２４の一端が前記破断線２０に連結され、破断線２４の他端が上面部５４の隅部（図中右側隅部）に位置するように形成される。また、破断線２６は、破断線２４と対向位置に形成されており、即ち、稜線７２に形成されると共に、破断線２６の一端が破断線２２に連結され、破断線２６の他端が上面部５４の隅部（図中左側隅部）に位置するように形成される。
【００２０】
次に、前記の如く構成された紙箱１６の開放方法について説明する。
先ず、図７に示すように破断部分６６を親指７４の指先で紙箱１６の内側に押し込んで破断線１８を破断する。この時、破断線１８は、前記破断部分６６が紙箱１６とプラスチックケース１４とのコーナ空間６８に侵入する大きさに形成されているので、プラスチックケース１４に邪魔されることなくワンタッチで破断される。
【００２１】
次に、紙箱１６の内側に折り返された前記破断部分６６を指掛かりとして、上面部５４を持ち上げると、その動作によって第２、第３の破断線２０、２２（図６参照）が破断し、そして第４、第５の破断線２４、２６が連続して破断する。これにより、紙箱１６が図８に示すように開放する。この開放動作において前記第２、第３の破断線２０、２２は図５に示したように、上面部５４の開放方向と平行な切断溝部２０Ａ、２０Ａ間に接続部２１、２１が形成されているので、無理なく破断し、また、第４、第５の破断線２４、２６も開放方向に形成されているので円滑に破断する。従って、本実施例では無理な力を加えることなく、また、手間をかけることなく１つの開放動作で紙箱１６を開放することができ、且つ開放最終過程でプラスチックケース１４を無理なく取り出すことができる。
【００２２】
図８に示したように紙箱１６を開放すると、背面部５２は側面部５６、５６に対して分離されているので図９に示すように上面部５４の開放と共に開放する。この時、背面部５２の耳部６０、６０は、その端部６０Ａ、６０Ａが円弧状に形成されているので、背面部５２の開放時に上面部５４の残片５４Ａ、５４Ａに当たらない。従って、背面部５２は円滑に開放する。
【００２３】
これにより、プラスチックケース１４を紙箱１６から容易に取り出すことができ、また、プラスチックケース１４を取り出すと、紙箱１６の内面に印刷した使用説明書が見易くなる。
このように本実施例の包装体１０では、一つの開放動作で連続して破断する破断線１８〜２６を紙箱に形成したので、従来の包装体よりも簡単な操作で紙箱を開放することができる。
【００２４】
本実施例では、紙箱１６を図４に示した形状に型抜きされた厚紙で組み立てるようにしたが、図１に示した直方体状の紙箱１６を組み立てられるものであれば、紙箱１６の型抜き形状は問わない。
また、本実施例では破断線２０、２２を階段状に形成したが、これに限られるものではなく、図１０に示すようにストレートな破断線８０、８２で形成しても良い。
【００２５】
更に、本実施例では、フイルムカートリッジ１２の包装体について説明したが、これに限られるものではなく、簡易型カメラであるレンズ付きフイルムユニット等のフイルム製品の包装体としても適用することができる。
【００２６】
【発明の効果】
以上説明したように本発明に係るフイルム製品の包装体によれば、破断線を破断していくと、紙箱の開き面が徐々に拡幅していくのでフイルム製品を紙箱から容易に取り出すことができ、また、破断線で最初に破断される部分が、紙箱と該紙箱に収納されるフイルム製品とで形成されるコーナ間部に対応する位置に形成されているので、破断線を無理なく破断することができる。
【００２７】
また、本発明によれば、第１の壁面に形成された第１の破断線を破断して蓋面を引き離すと、その動作により第２、第３の破断線が破断し、そして第４、第５の破断線が連続して破断することにより紙箱が開放するので、簡単な破断動作で紙箱を開放することができ、且つ開放最終過程でフイルム製品を無理なく取り出すことができる。。
【図面の簡単な説明】
【図１】本発明の実施例に係るフイルム製品の包装体の外観を示す斜視図
【図２】フイルムカートリッジの外観を示す斜視図
【図３】フイルムカートリッジを密封するスラスチックケースの外観を示す斜視図
【図４】図１に示した紙箱の展開図
【図５】図４に示したＡ部の拡大図
【図６】第１の破断線を破断した状態を示す紙箱の外観を示す斜視図
【図７】第１の破断線を破断した状態を示す紙箱の側断面図
【図８】破断線に沿って上面部を開放した紙箱の外観図
【図９】上面部と背面部とを開放しフイルムカートリッジを取り出した状態の外観図
【図１０】第２の破断線の他の実施例を示す要部展開図
【図１１】従来のフイルム製品の包装体の外観図
【図１２】図１１に示した紙箱を開放した状態を示す外観図
【図１３】図１１に示した紙箱を破断線に沿って破断する状態を示す側断面図
【符号の説明】
１０…包装体
１２…フイルムカートリッジ
１４…プラスチックケース
１６…紙箱
１８〜２６…破断線
２２…接続部
４８…正面部
５０…底面部
５２…背面部
５４…上面部
５６…側面部
６６…破断部分
【図１】
0003612691.tif 000002
【図２】
0003612691.tif 000003
【図３】
0003612691.tif 000004
【図４】
0003612691.tif 000005
【図５】
0003612691.tif 000006
【図６】
0003612691.tif 000007
【図７】
0003612691.tif 000008
【図８】
0003612691.tif 000009
【図９】
0003612691.tif 000010
【図１０】
0003612691.tif 000011
【図１１】
0003612691.tif 000012
【図１２】
0003612691.tif 000013
【図１３】
0003612691.tif 000014